(57)【要約】【課題】電波環境の状況を把握することができ、早期に通信状況の改善を行うことができる無線通信システム等を提供する。【解決手段】無線親機１０６、無線子機１０７は、妨害電波を検知した回数を計数し、所定の時間内に所定の回数以上の妨害電波を検知すると、センタ１０２に対して異常発生電文等を送信することにより、センタ１０２は、常時、無線親機１０６及び無線子機１０７間の無線通信における電波環境の状況を把握する。また、無線親機１０６、無線子機１０７がセンタ１０２に異常発生電文を送信する際、無線親機１０６、無線子機１０７に設けられたＬＥＤを点灯、点滅させる。【選択図】　図４
2004015368.tif 000002
【特許請求の範囲】
【請求項１】
センタに接続された無線親機と、メータまたは検知器に接続された無線子機と、からなり、前記無線親機と前記無線子機との間で通信を行うことにより、前記センタと前記メータまたは前記検知器との間で通信が行われる無線通信システムであって、
前記無線親機は、所定時間内に所定回数の妨害電波を受信した場合、前記センタに対して異常発生を示す信号を送信する異常発生通知手段を具備することを特徴とする無線通信システム。
【請求項２】
前記無線親機は、前記異常発生を示す表示手段を具備することを特徴とする請求項１に記載の無線通信システム。
【請求項３】
センタに接続された無線親機と、メータまたは検知器に接続された無線子機と、からなり、前記無線親機と前記無線子機との間で通信を行うことにより、前記センタと前記メータまたは前記検知器との間で通信が行われる無線通信システムであって、
前記無線子機は、所定時間内に所定回数の妨害電波を受信した場合、前記無線親機を介して前記センタに対して異常発生を示す信号を送信する異常発生通知手段を具備することを特徴とする無線通信システム。
【請求項４】
前記無線子機は、前記異常発生を示す表示手段を具備することを特徴とする請求項３に記載の無線通信システム。
【請求項５】
センタに接続された無線親機と、メータまたは検知器に接続された無線子機と、からなり、前記無線親機と前記無線子機との間で通信を行うことにより、前記センタと前記メータまたは前記検知器との間で通信が行われる無線通信システムであって、
前記無線親機は、所定時間内に所定回数の不正アクセスがあった場合、前記センタに対して異常発生を示す信号を送信する異常発生通知手段を具備することを特徴とする無線通信システム。
【請求項６】
前記無線親機は、前記異常発生を示す表示手段を具備することを特徴とする請求項５に記載の無線通信システム。
【請求項７】
センタに接続され、メータまたは検知器に接続された無線子機と通信を行うことにより、前記センタと前記メータまたは前記検知器との通信を媒介する無線親機であって、
所定時間内に所定回数の妨害電波を受信した場合、前記センタに対して異常発生を示す信号を送信する異常発生通知手段を具備することを特徴とする無線親機。
【請求項８】
前記異常発生を示す表示手段を具備することを特徴とする請求項７に記載の無線親機。
【請求項９】
メータまたは検知器に接続され、センタに接続された無線親機と通信を行うことにより、前記センタと前記メータまたは前記検知器との通信を媒介する無線子機であって、
所定時間内に所定回数の妨害電波を受信した場合、前記無線親機を介して前記センタに対して異常発生を示す信号を送信する異常発生通知手段を具備することを特徴とする無線子機。
【請求項１０】
前記異常発生を示す表示手段を具備することを特徴とする請求項９に記載の無線子機。
【請求項１１】
センタに接続され、メータまたは検知器に接続された無線子機と通信を行うことにより、前記センタと前記メータまたは前記検知器との通信を媒介する無線親機であって、
所定時間内に所定回数の不正アクセスがあった場合、前記センタに対して異常発生を示す信号を送信する異常発生通知手段を具備することを特徴とする無線親機。
【請求項１２】
前記異常発生を示す表示手段を具備することを特徴とする請求項１１に記載の無線親機。
【請求項１３】
センタに接続され、メータまたは検知器に接続された無線子機と通信を行うことにより、前記センタと前記メータまたは前記検知器との通信を媒介する無線親機が行う通信環境監視方法であって、
所定時間内に所定回数の妨害電波を受信した場合、前記センタに対して異常発生を示す信号を送信する異常発生通知ステップを有することを特徴とする通信環境監視方法。
【請求項１４】
前記異常発生を示す表示ステップを有することを特徴とする請求項１３に記載の通信環境監視方法。
【請求項１５】
メータまたは検知器に接続され、センタに接続された無線親機と通信を行うことにより、前記センタと前記メータまたは前記検知器との通信を媒介する無線子機が行う通信環境監視方法であって、
所定時間内に所定回数の妨害電波を受信した場合、前記無線親機を介して前記センタに対して異常発生を示す信号を送信する異常発生通知ステップを有することを特徴とする通信環境監視方法。
【請求項１６】
前記異常発生を示す表示ステップを有することを特徴とする請求項１５に記載の通信環境監視方法。
【請求項１７】
センタに接続され、メータまたは検知器に接続された無線子機と通信を行うことにより、前記センタと前記メータまたは前記検知器との通信を媒介する無線親機が行う不正アクセス監視方法であって、
所定時間内に所定回数の不正アクセスがあった場合、前記センタに対して異常発生を示す信号を送信する異常発生通知ステップを有することを特徴とする不正アクセス監視方法。
【請求項１８】
前記異常発生を示す表示ステップを有することを特徴とする請求項１７に記載の不正アクセス監視方法。
【発明の詳細な説明】
【０００１】
【発明の属する技術分野】
本発明は、ガスメータ等の検針値を送出したり、ガスメータ等に取り付ける警報器と連動して警報を送出する無線通信システム等に関わり、特に、定期的に無線区間の電波環境の確認を行う無線通信システム等に関するものである。
【０００２】
【従来の技術】
従来、ガスメータ等の検針値をセンタへ送信したり、ガスメータ等の周辺においてガス漏れ等を検知するとセンタへ通報しガスメータ等を自動的に遮断するシステムとして、図６に示すような無線通信システムがある。図６に示す無線通信システム６０１は、センタ６０２、通信制御装置６０３、電話回線６０５、無線親機６０６、無線子機６０７−１、６０７−２、メータ６０８、検知器６０９等からなる。
【０００３】
センタ６０２は、通信制御装置６０３、電話回線６０５を介して無線親機６０６と接続され、通信を行う。無線親機６０６と無線子機６０７との間は、小電力無線規格等の無線波を使用して無線接続されている。無線親機６０６、無線子機６０７いずれも電池または商用ＡＣ電源を供給電源として駆動されている。無線子機６０７−１はガスメータ等のメータ６０８と接続され、無線子機６０７−２はガス漏れ等を検知する検知器６０９と接続されている。
【０００４】
メータ６０８がガス使用量等を検針すると、無線子機６０７−１へ検針信号を送信し、無線子機６０７−１は、検針信号を受信すると、無線親機６０６に検針信号を送信する。無線親機６０６は、受信した情報を解析しセンタ６０２に電話回線６０５を介して送信する。センタ６０２は、無線親機６０６から送信された情報に基づいて、メータ６０８に係るガス使用量等を把握する。
【０００５】
また、検知器６０９がガス漏れ等を検知すると、無線子機６０７−２へ警報信号を送信し、無線子機６０７−２は、警報信号を受信すると、無線親機６０６に警報信号を送信する。無線親機６０６は、受信した情報を解析しセンタ６０２に電話回線６０５を介して通報する。センタ６０２は、無線親機６０６を介してメータ６０８に接続されている無線子機６０７−１へガスメータ遮断等の命令を送信する。
【０００６】
【発明が解決しようとする課題】
しかしながら、無線親機６０６、無線子機６０７周辺には、ノイズを発生する様々な機器等が存在している可能性がある。また、無線親機６０６および無線子機６０７を実環境に設置した後、各無線機周辺、無線区間に、金属等の電波遮蔽物が置かれる可能性がある。従って、設置時に通信試験を行うことにより電波環境の確認を行った場合であっても、無線通信システム６０１が、後発的な事由、例えば、ノイズ、遮蔽等が原因で通信不能に陥り、メータ６０８からの検針信号をセンタ６０２に送信できない、あるいは、検知器６０９からの警報信号をセンタ６０２に送信できないことがある。
【０００７】
上記の電波環境の悪化を引き起こす後発的な事由には、大きく分けて一時的な事由及び定常的な事由がある。一時的な事由は、例えば、違法電波を送出する車輌の通行、車輌のアイドリング等であり、定常的な事由は、例えば、金属等の電波遮蔽物の設置、妨害電波発生源の設置等である。特に定常的な事由の場合は、電波環境を根本的に改善するための処置を講ずる必要があるという問題点があった。
【０００８】
本発明は、このような問題を鑑みてなされたもので、その目的とするところは、電波環境の状況を把握することができ、早期に通信状況の改善を行うことができる無線通信システム等を提供することにある。
【０００９】
【課題を解決するための手段】
前述した目的を達成するために第１の発明は、センタに接続された無線親機と、メータまたは検知器に接続された無線子機と、からなり、前記無線親機と前記無線子機との間で通信を行うことにより、前記センタと前記メータまたは前記検知器との間で通信が行われる無線通信システムであって、前記無線親機は、所定時間内に所定回数の妨害電波を受信した場合、前記センタに対して異常発生を示す信号を送信する異常発生通知手段を具備することを特徴とする無線通信システムである。
【００１０】
第１の発明では、無線親機は、間欠的または継続的にキャリアセンスを行い、妨害電波を検知した回数を計数し、所定時間内に所定回数の妨害電波を受信した場合、センタに異常発生信号を送信する。
無線親機は、通信環境の監視、例えば、電波環境が良好であるかどうか、妨害電波が存在しているかどうか等を監視、判断、診断する。無線親機は、妨害電波を検知した回数を計数し、所定の時間内に所定の回数以上の妨害電波を検知すると、センタに対して異常発生電文等を送信するので、センタは、常時、無線通信における電波環境の状況を把握することができる。尚、無線親機は、上記の処理を行うコンピュータを具備するようにしてもよい。
【００１１】
第２の発明は、センタに接続された無線親機と、メータまたは検知器に接続された無線子機と、からなり、前記無線親機と前記無線子機との間で通信を行うことにより、前記センタと前記メータまたは前記検知器との間で通信が行われる無線通信システムであって、前記無線子機は、所定時間内に所定回数の妨害電波を受信した場合、前記無線親機を介して前記センタに対して異常発生を示す信号を送信する異常発生通知手段を具備することを特徴とする無線通信システムである。
【００１２】
第２の発明では、無線子機は、間欠的または継続的にキャリアセンスを行い、妨害電波を検知した回数を計数し、所定時間内に所定回数の妨害電波を受信した場合、無線親機を介してセンタに異常発生信号を送信する。
無線子機は、通信環境の監視、例えば、電波環境が良好であるかどうか、妨害電波が存在しているかどうか等を監視、判断、診断する。無線子機は、妨害電波を検知した回数を計数し、所定の時間内に所定の回数以上の妨害電波を検知すると、センタに対して異常発生電文等を送信するので、センタは、常時、無線通信における電波環境の状況を把握することができる。尚、無線子機は、上記の処理を行うコンピュータを具備するようにしてもよい。
【００１３】
第３の発明は、センタに接続された無線親機と、メータまたは検知器に接続された無線子機と、からなり、前記無線親機と前記無線子機との間で通信を行うことにより、前記センタと前記メータまたは前記検知器との間で通信が行われる無線通信システムであって、前記無線親機は、所定時間内に所定回数の不正アクセスがあった場合、前記センタに対して異常発生を示す信号を送信する異常発生通知手段を具備することを特徴とする無線通信システムである。
【００１４】
第３の発明では、無線親機は、間欠的または継続的に不正アクセスの監視を行い、不正アクセスを検知した回数を計数し、所定時間内に所定回数の不正アクセスがあった場合、センタに異常発生信号を送信する。
無線親機は、不正アクセスの監視、例えば、不正アクセスの有無等を監視、判断、診断する。無線親機は、不正アクセスを検知した回数を計数し、所定の時間内に所定の回数以上の不正アクセスを検知すると、センタに対して異常発生電文等を送信するので、センタは、常時、無線通信システムに対する不正アクセスの状況を把握することができる。尚、無線親機は、上記の処理を行うコンピュータを具備するようにしてもよい。
【００１５】
尚、第１の発明〜第３の発明において、無線親機及び無線子機は、異常発生の旨を無線親機及び無線子機に設けられた表示部（表示手段）に示すことができる。表示部は、異常発生、通信異常等を表示するものであり、例えば、点灯表示、点滅可能なＬＥＤ（Ｌｉｇｈｔ　Ｅｍｉｔｔｉｎｇ　Ｄｉｏｄｅ）等である。
この場合、無線親機、無線子機がセンタに異常発生電文を送信する際、無線親機、無線子機に設けられたＬＥＤを点灯、点滅させるので、センタのみならず、無線親機、無線子機が設置されている現場においても異常発生、通信異常を確認することが可能である。
【００１６】
また、第１の発明〜第３の発明において、上記の所定の時間、所定の回数は、任意に設定することが可能である。従って、電波環境の悪化状況、不正アクセス状況を程度に応じて把握、監視することができるので、異常発生、通信異常、不正アクセスに対する処置、対策等を効率的に講ずることができる。
【００１７】
第４の発明は、センタに接続され、メータまたは検知器に接続された無線子機と通信を行うことにより、前記センタと前記メータまたは前記検知器との通信を媒介する無線親機であって、所定時間内に所定回数の妨害電波を受信した場合、前記センタに対して異常発生を示す信号を送信する異常発生通知手段を具備することを特徴とする無線親機である。
【００１８】
第４の発明は、第１の発明の無線通信システムにおける無線親機に関する発明である。
【００１９】
第５の発明は、メータまたは検知器に接続され、センタに接続された無線親機と通信を行うことにより、前記センタと前記メータまたは前記検知器との通信を媒介する無線子機であって、所定時間内に所定回数の妨害電波を受信した場合、前記無線親機を介して前記センタに対して異常発生を示す信号を送信する異常発生通知手段を具備することを特徴とする無線子機である。
【００２０】
第５の発明は、第２の発明の無線通信システムにおける無線子機に関する発明である。
【００２１】
第６の発明は、センタに接続され、メータまたは検知器に接続された無線子機と通信を行うことにより、前記センタと前記メータまたは前記検知器との通信を媒介する無線親機であって、所定時間内に所定回数の不正アクセスがあった場合、前記センタに対して異常発生を示す信号を送信する異常発生通知手段を具備することを特徴とする無線親機である。
【００２２】
第６の発明は、第３の発明の無線通信システムにおける無線親機に関する発明である。
【００２３】
第７の発明は、センタに接続され、メータまたは検知器に接続された無線子機と通信を行うことにより、前記センタと前記メータまたは前記検知器との通信を媒介する無線親機が行う通信環境監視方法であって、所定時間内に所定回数の妨害電波を受信した場合、前記センタに対して異常発生を示す信号を送信する異常発生通知ステップを有することを特徴とする通信環境監視方法である。
【００２４】
第７の発明は、第４の発明の無線親機が行う通信環境監視方法についての発明である。
【００２５】
第８の発明は、メータまたは検知器に接続され、センタに接続された無線親機と通信を行うことにより、前記センタと前記メータまたは前記検知器との通信を媒介する無線子機が行う通信環境監視方法であって、所定時間内に所定回数の妨害電波を受信した場合、前記無線親機を介して前記センタに対して異常発生を示す信号を送信する異常発生通知ステップを有することを特徴とする通信環境監視方法である。
【００２６】
第８の発明は、第５の発明の無線子機が行う通信環境監視方法についての発明である。
【００２７】
第９の発明は、センタに接続され、メータまたは検知器に接続された無線子機と通信を行うことにより、前記センタと前記メータまたは前記検知器との通信を媒介する無線親機が行う不正アクセス監視方法であって、所定時間内に所定回数の不正アクセスがあった場合、前記センタに対して異常発生を示す信号を送信する異常発生通知ステップを有することを特徴とする不正アクセス監視方法である。
【００２８】
第９の発明は、第６の発明の無線親機が行う不正アクセス監視方法についての発明である。
【００２９】
【発明の実施の形態】
以下に、添付図面を参照しながら、本発明にかかる無線通信システムの好適な実施形態について詳細に説明する。なお、以下の説明および添付図面において、略同一の機能構成を有する構成要素については、同一の符号を付することにより重複説明を省略することにする。
【００３０】
以下に、図面に基づいて本発明の実施の形態を詳細に説明する。図１は、本発明の実施の形態に係る無線通信システム１の概略構成図である。図１に示すように、この無線通信システム１０１は、センタ１０２、通信制御装置１０３、電話回線１０５、無線親機１０６、無線子機１０７−１、１０７−２、メータ１０８、検知器１０９等から構成される。
【００３１】
センタ１０２側と無線親機１０６との間は電話回線１０５を介して接続され、無線親機１０６と無線子機１０７−１、１０７−２との間は、小電力無線規格等の無線波を使用して無線接続されている。無線子機１０７−１はガスメータ等のメータ１０８と接続され、無線子機１０７−２はガス漏れ等を検知する検知器１０９と接続されている。無線親機１０６、無線子機１０７−１、１０７−２いずれも電池または商用ＡＣ電源を供給電源として駆動されている。電話回線１０５は、電話回線等の電気通信回線であり、インターネット等の有線や無線のネットワークでもよい。メータ１０８は、ガスメータであるが、電気メータや水道メータでもよい。
【００３２】
メータ１０８がガス使用量等を検針すると、無線子機１０７−１へ検針信号を送信し、無線子機１０７−１は、検針信号を受信すると、無線親機１０６に検針信号を送信する。無線親機１０６は、受信した情報を解析しセンタ１０２に電話回線１０５を介して送信する。センタ１０２は、無線親機１０６から送信された情報に基づいて、メータ１０８に係るガス使用量等を把握する。
【００３３】
検知器１０９がガス漏れ等を検知すると、無線子機１０７−２へ警報信号を送信し、無線子機１０７−２は、警報信号を受信すると、無線親機１０６に警報信号を送信する。無線親機１０６は、受信した情報を解析しセンタ１０２に電話回線１０５を介して通報する。センタ１０２は、無線親機１０６を介してメータ１０８に接続されている無線子機１０７−１へガスメータ遮断等の命令を送信する。
【００３４】
図２は、無線親機１０６の構成を示すブロック図である。無線親機１０６は、網通信制御回路２０１、電文情報制御回路２０２、電波送受信回路２０３、電源回路２０４、タイマ制御回路２０５、アンテナ２０６、表示部２０７等からなる。電源回路２０４は各部に電源を供給する。タイマ制御回路２０５は、定期的に時間信号を電文情報制御回路２０２に送る。
【００３５】
電文情報制御回路２０２は、メータまたは検知器に対する操作指示を伝える電文を作成したり、アンテナ２０６及び電話回線１０５からの受信電文、受信電波、アクセス等の解析、異常発生電文の生成、受信回数、アクセス回数、受信時間、アクセス時間の記録等を行う。尚、電文情報制御回路２０２は、メモリを備えたＣＰＵ（Ｃｅｎｔｒａｌ　Ｐｒｏｃｅｓｓｉｎｇ　Ｕｎｉｔ）等を有するようにしてもよい。
【００３６】
アンテナ２０６は電波送受信回路２０３に接続されており、無線子機１０７等からの受信電波を電波送受信回路２０３に送ったり、無線子機１０７等への送信電波を送出したりする。電波送受信回路２０３は、変復調回路、変調送出回路等を有し、受信信号を復調したり、変調により送信信号を生成したりする。
【００３７】
網通信（電話回線）制御回路２０１は、電文情報制御回路２０２において解析された受信電文を電話回線１０５を介してセンタ１０２に送信したり、電話回線１０５からの電文情報等を電文情報制御回路２０２に送る。網通信（電話回線）制御回路２０１は、無線親機１０６に内蔵してもよいし、別筐体としてもよい。表示部２０７は、異常発生、通信異常等を表示するものであり、例えば、点灯表示、点滅可能なＬＥＤ（Ｌｉｇｈｔ　Ｅｍｉｔｔｉｎｇ　Ｄｉｏｄｅ）等である。
【００３８】
図３は、無線子機１０７の構成を示すブロック図である。無線子機１０７は、電波送受信回路３０１、電文情報制御回路３０２、機器通信制御回路３０３、電源回路３０４、タイマ制御回路３０５、アンテナ３０６、表示部３０７等からなる。電源回路３０４は各部に電源を供給する。タイマ制御回路３０５は、定期的に時間信号を電文情報制御回路３０２に送る。
【００３９】
電文情報制御回路３０２は、検針値、ガス漏れ等の情報を伝える電文を作成したり、アンテナ３０６からの受信電文、受信電波等の解析、異常発生電文の生成、受信回数、受信時間の記録等を行う。尚、電文情報制御回路３０２は、メモリを備えたＣＰＵ（Ｃｅｎｔｒａｌ　Ｐｒｏｃｅｓｓｉｎｇ　Ｕｎｉｔ）等を有するようにしてもよい。
【００４０】
アンテナ３０６は電波送受信回路３０１に接続されており、無線親機１０６等からの受信電波を電波送受信回路３０１に送ったり、無線親機１０６等への送信電波を送出したりする。電波送受信回路３０１は、変復調回路、変調送出回路等を有し、受信信号を復調したり、変調により送信信号を生成したりする。
【００４１】
機器通信制御回路３０３は、電文情報制御回路３０２において解析された受信電文をメータ１０８または検知器１０９に送信したり、メータ１０８から送られてくる検針信号、検知器１０９から送られてくる警報信号を検出し、電文情報制御回路３０２に送る。
表示部３０７は、異常発生、通信異常等を表示するものであり、例えば、点灯表示、点滅表示可能なＬＥＤ（Ｌｉｇｈｔ　Ｅｍｉｔｔｉｎｇ　Ｄｉｏｄｅ）等である。
【００４２】
本実施の形態では、無線親機１０６、無線子機１０７は、間欠的あるいは連続的に、キャリアセンス（電波の検知）を行い、妨害電波の検知回数をカウント（計数）する。無線親機１０６は、一定時間に一定回数以上の妨害電波を検知した場合、端末発呼によりセンタ１０２に対して電話回線１０５を介して異常発生電文を送信する。無線子機１０７は、一定時間に一定回数以上の妨害電波を検知した場合、無線親機１０６に異常発生電文の送信を試みる。無線親機１０６は、無線子機１０７からの異常発生電文を受信することができた場合、端末発呼によりセンタ１０２に対して電話回線１０５を介して異常発生電文を送信する。
【００４３】
尚、妨害電波のキャリアセンスにおいて、妨害電波の判別は、例えば、無線親機１０６と無線子機１０７との間で送受信される信号に同期信号を挿入し、所定の時間内にこの同期信号を検出できたか否かを判定することにより行うことができる。
【００４４】
次に、本実施の形態における、電波環境の悪化をセンタに通知する際の無線通信システム１０１の動作手順を詳しく説明する。
図４は、妨害電波に係る異常発生をセンタ１０２に通知する際の無線親機１０６の動作を示すフローチャートである。
【００４５】
無線親機１０６は、回数カウンタ、計時タイマを初期化する（ステップ４０１）。回数カウンタは、妨害電波の検知回数を計数するものである。計時カウンタは、所定の時点からの経過時間を計時するものである。
無線親機１０６は、キャリアセンスを行う（ステップ４０２）。キャリアセンスは、間欠的（２０秒毎等）に行ってもよいし、継続的に行うようにしてもよい。
【００４６】
無線機１０６は、キャリアを検出した場合（ステップ４０３のＹＥＳ）、当該キャリアが妨害電波によるものであるかどうかを判定する（ステップ４０４）。当該キャリアが妨害電波によるものでない場合（ステップ４０４のＮＯ）、すなわち、メータ１０８または検知器１０９からの信号等である場合、無線親機１０６は、受信動作を行う（ステップ４０５）。
【００４７】
当該キャリアが妨害電波によるものである場合（ステップ４０４のＹＥＳ）、無線親機１０６は、回数カウンタを１増加し（ステップ４０６）、回数カウンタが所定の回数に達した場合（ステップ４０７）、電話回線１０５を介してセンタ１０２に電波環境の悪化を示す異常発生電文を送信する（ステップ４０８）。
【００４８】
無線親機１０６は、計時タイマが所定の時間に達した場合（ステップ４０９のＹＥＳ）、回数カウンタ及び計時タイマを初期化し（ステップ４０１）、計時タイマが所定の時間に達していない場合（ステップ４０９のＮＯ）、ステップ４０２からの処理を繰り返す。
【００４９】
尚、無線子機１０７は、無線親機１０６と同様に、ステップ４０１〜ステップ４０９の動作を行う。この場合、ステップ４０８において、無線子機１０７は、無線親機１０６に対して異常発生電文の送信を試みる。無線親機１０６は、無線子機１０７からの異常発生電文を受信することができた場合、電話回線１０５を介してセンタ１０２に電波環境の悪化を示す異常発生電文を送信する。
【００５０】
また、ステップ４０８において異常発生電文を送信する際、無線親機１０６、無線子機１０７に設けられた表示部にその旨を表示したり、無線親機１０６、無線子機１０７に設けられたＬＥＤを点灯あるいは点滅させることもできる。
【００５１】
このように本実施の形態によると、無線親機１０６、無線子機１０７は、妨害電波を検知した回数を計数し、所定の時間内に所定の回数以上の妨害電波を検知すると、センタ１０２に対して異常発生電文等を送信するので、センタ１０２は、常時、無線親機１０６及び無線子機１０７間の無線通信における電波環境の状況を把握することができる。
【００５２】
また、無線親機１０６、無線子機１０７がセンタ１０２に異常発生電文を送信する際、無線親機１０６、無線子機１０７に設けられたＬＥＤを点灯、点滅させるので、センタのみならず、無線親機、無線子機が設置されている現場においても異常発生、通信異常を確認することが可能である。
【００５３】
上記の所定の時間、所定の回数は、無線親機１０６、無線子機１０７の内部設定として、任意に設定可能である。また、この内部設定は、センタ１０２、設定器（図示せず）から変更可能である。従って、上記の所定の時間、所定の回数を設定することにより、一時的・偶発的な事由（違法電波を送出する車輌の通行、車輌のアイドリング等）と、定常的な事由（金属等の電波遮蔽物の設置、妨害電波発生源の設置等）による電波環境の悪化とを区別することが可能となるので、異常発生、通信異常に対する処置、対策等を効率的に講ずることができる。
【００５４】
次に、他の実施の形態における無線通信システム１０１の動作について説明する。
図５は、不正アクセスに係る異常発生をセンタ１０２に通知する際の無線親機１０６の動作を示すフローチャートである。
【００５５】
無線親機１０６は、回数カウンタ、計時タイマを初期化する（ステップ５０１）。回数カウンタは、不正アクセスの回数を計数するものである。計時カウンタは、所定の時点からの経過時間を計時するものである。
無線親機１０６は、電話回線１０５等からのアクセスの有無の確認する（ステップ５０２）。アクセスの有無の確認は、間欠的に行ってもよいし、継続的に行うようにしてもよい。
【００５６】
無線機１０６は、アクセスを検出した場合（ステップ５０３のＹＥＳ）、当該アクセスが不正なものであるかどうかを判定する（ステップ５０４）。
当該アクセスが不正なものでない場合（ステップ５０４のＮＯ）、すなわち、センタからの指示信号等である場合、無線親機１０６は、当該アクセスに対する応答、動作等を行う（ステップ５０５）。
【００５７】
尚、不正アクセスの判別は、例えば、無線親機１０６にアクセスする際に送信される信号等に識別信号を挿入し、所定の時間内にこの識別信号を検出できたか否かを判定することにより行うことができる。
【００５８】
当該アクセスが不正なものである場合（ステップ５０４のＹＥＳ）、無線親機１０６は、回数カウンタを１増加し（ステップ５０６）、回数カウンタが所定の回数に達した場合（ステップ５０７）、電話回線１０５を介してセンタ１０２に不正アクセスを示す異常発生電文を送信する（ステップ５０８）。
【００５９】
無線親機１０６は、計時タイマが所定の時間に達した場合（ステップ５０９のＹＥＳ）、回数カウンタ及び計時タイマを初期化し（ステップ５０１）、計時タイマが所定の時間に達していない場合（ステップ５０９のＮＯ）、ステップ５０２からの処理を繰り返す。
【００６０】
また、ステップ５０８において異常発生電文を送信する際、無線親機１０６に設けられた表示部にその旨を表示したり、無線親機１０６に設けられたＬＥＤを点灯あるいは点滅させることもできる。
【００６１】
このように本実施の形態によると、無線親機１０６は、不正アクセスを検知した回数を計数し、所定の時間内に所定の回数以上の不正アクセスを検知すると、センタ１０２に対して異常発生電文等を送信するので、センタ１０２は、常時、無線親機１０６に対する不正アクセスの状況を把握することができる。
【００６２】
また、無線親機１０６がセンタ１０２に異常発生電文を送信する際、無線親機１０６に設けられたＬＥＤを点灯、点滅させるので、センタのみならず、無線親機が設置されている現場においても不正アクセスを確認することが可能である。
【００６３】
上記の所定の時間、所定の回数は、無線親機１０６の内部設定として、任意に設定可能である。また、この内部設定は、センタ１０２、設定器（図示せず）から変更可能である。従って、上記の所定の時間、所定の回数を設定することにより、一時的・偶発的な不正アクセスと、恒常的・集中的な不正アクセスとを区別することが可能となるので、不正アクセスに対する処置、対策等を効率的に講ずることができる。
【００６４】
以上、添付図面を参照しながら、本発明にかかる無線通信システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００６５】
【発明の効果】
以上、詳細に説明したように本発明では、電波環境の状況を把握することができ、早期に通信状況の改善を行うことができる無線通信システム等を提供することができる。
【図面の簡単な説明】
【図１】本発明の実施の形態に係る無線通信システム１の概略構成図
【図２】無線親機１０６の構成を示すブロック図
【図３】無線子機１０７の構成を示すブロック図
【図４】妨害電波に係る異常発生をセンタ１０２に通知する際の無線親機１０６の動作を示すフローチャート
【図５】不正アクセスに係る異常発生をセンタ１０２に通知する際の無線親機１０６の動作を示すフローチャート
【図６】従来の無線通信システム６０１の概略構成図
【符号の説明】
１０１………無線通信システム
１０２………センタ
１０３………通信制御装置
１０５………電話回線
１０６………無線親機
１０７………無線子機
１０８………メータ
１０９………検知器
２０１………網通信制御回路
２０２、３０２………電文情報制御回路
２０３、３０１………電波送受信回路
２０４、３０４………電源回路
２０５、３０５………タイマ制御回路
２０６、３０６………アンテナ
２０７、３０７………表示器
３０３………機器通信制御回路
【図１】
2004015368.tif 000003
【図２】
2004015368.tif 000004
【図３】
2004015368.tif 000005
【図４】
2004015368.tif 000006
【図５】
2004015368.tif 000007
【図６】
2004015368.tif 000008